(57)【要約】【課題】ヘッドバンドとヘッドホンユニットとが相対回動可能な構造を採りつつ、耐久性に優れたヘッドホン装置を提供する。【解決手段】スピーカ３Cを有する一対のヘッドホンユニット３と、ヘッドホンユニット３同士を連結するヘッドバンド２とを備え、ヘッドバンド２の両端に第１筒状部２Aが一体形成してあるとともに、ヘッドホンユニット３に第２筒状部３１が一体形成してあり、第１筒状部２Aと第２筒状部３１とのうち何れか一方が他方に挿入されて、ヘッドホンユニット３とヘッドバンド２とが相対回転可能に連結してある。【選択図】図２
2008205585.tif 000002
【特許請求の範囲】
【請求項１】
スピーカを有する一対のヘッドホンユニットと、前記ヘッドホンユニット同士を連結するヘッドバンドとを備え、
前記ヘッドバンドの両端に第１筒状部が一体形成してあるとともに、前記ヘッドホンユニットに第２筒状部が一体形成してあり、前記第１筒状部と第２筒状部とのうち何れか一方が他方に挿入されて、前記ヘッドホンユニットと前記ヘッドバンドとが相対回転可能に連結してあるヘッドホン装置。
【請求項２】
前記第１筒状部と前記第２筒状部とが互いに抜け出るのを防止するように、前記第１筒状部と第２筒状部とに亘って内挿される内挿部材を備え、当該内挿部材が第１筒状部及び第２筒状部の少なくとも何れか一方に対して回転自在である請求項１に記載のヘッドホン装置。
【請求項３】
前記ヘッドバンドに対する前記ヘッドホンユニットの相対回転位置に応じて電源からの電力を供給及び遮断する電源スイッチと、前記電源からの電力が遮断状態と供給状態とで切り替わる前記相対回転位置の付近で前記相対回転の抵抗を高める抵抗付与手段が設けてある請求項１又は２に記載のヘッドホン装置。
【請求項４】
前記ヘッドホン装置が赤外線通信により音声を受信するワイヤレスヘッドホン装置であり、赤外線を受信する赤外線受信素子が、夫々の前記第１筒状部の左右方向外方に設けてある請求項１〜３の何れか一項に記載のヘッドホン装置。
【発明の詳細な説明】
【技術分野】
【０００１】
本発明は、スピーカを有する一対のヘッドホンユニットと、前記ヘッドホンユニット同士を連結するヘッドバンドとを備え、前記ヘッドホンユニットと前記ヘッドバンドとが相対回動可能に連結してあるヘッドホン装置に関する。
【背景技術】
【０００２】
従来、この種のヘッドホン装置として、例えば特許文献１に示すものが知られている。即ち、ヘッドバンドの両端部にヘッドホンユニットを連結するヘッドバンド側連結部を設けるに際し、２分割してあるヘッドバンド側連結部形成用の部材同士でヘッドバンドの端部を狭持し、ビス等の小螺子で、ヘッドホンバンドに固定してある。このヘッドバンド側連結部に、ヘッドホンユニットに形成された筒状のヘッドホンユニット側連結部を外挿することにより、ヘッドバンドとヘッドホンユニットとが相対回動可能に連結してある。このヘッドホン装置は、ヘッドバンドとヘッドホンユニットとが相対回転可能であるため、例えばヘッドホンバンドの使用時に、対向させてあったスピーカの音響面を、不使用時には、略同一平面状に沿わせるなどして、収納時の省スペース化を図るなど、ヘッドホンユニットの姿勢を状況に応じて適宜変更することができる。
【０００３】
【特許文献１】特開２００５−９４６０３号公報（００２６段落及び図１）
【発明の開示】
【発明が解決しようとする課題】
【０００４】
上述のヘッドホン装置においては、ヘッドホンユニットを回動させる際、例えば曲げ方向など、回動方向以外にも外力が生じる場合がある。
しかし、上述のヘッドホン装置では、多数の部品を用いてヘッドバンドとヘッドバンド側連結部を構成しているため、構造が複雑になり、特に、ヘッドバンドとヘッドバンド側連結部形成用の部材の接合部、ヘッドバンド側連結部形成用の部材同士の接合部、ビスの付近等、他部材同士が接合する部分の強度が不足しがちであった。このため、ヘッドホンユニットとヘッドバンドとを相対回動する際の外力で両者の連結部が破損する恐れがあるなど、ヘッドホン装置の耐久性が充分ではないという問題があった。
本発明は、上述の問題点に鑑みて成されたものであり、その目的は、ヘッドバンドとヘッドホンユニットとが相対回動可能な構造を採りつつ、耐久性に優れたヘッドホン装置を提供することにある。
【０００５】
本発明の第１特徴構成は、スピーカを有する一対のヘッドホンユニットと、前記ヘッドホンユニット同士を連結するヘッドバンドとを備え、前記ヘッドバンドの両端に第１筒状部が一体形成してあるとともに、前記ヘッドホンユニットに第２筒状部が一体形成してあり、前記第１筒状部と第２筒状部とのうち何れか一方が他方に挿入されて、前記ヘッドホンユニットと前記ヘッドバンドとを相対回転可能に連結した点にある。
【０００６】
本構成のように、ヘッドバンド側の第１筒状部及びヘッドホンユニット側の第２筒状部を夫々一体形成することにより、第１筒状部及び第２筒状部を設けるに際し、構成を簡単にすることができるので、第１筒状部及び第２筒状部の強度を高めることができる。
また、ヘッドホンユニットとヘッドバンドとを連結するに際し、筒状の部材に対して筒状の部材を挿入することとなり、例えばヘッドホンユニットとヘッドバンドの一方に設けた棒状の突起を他方に設けた孔部に挿入して両者を連結する場合と比較して、連結部分の面積が大きくなる。このため、曲げ方向など回動方向以外の外力が加わったとしても、より大きな面積で外力を受けることとなり、外力による変形や破損などを防止することができる。上述の結果、ヘッドホン装置の耐久性を高めることができる。
【０００７】
本発明の第２特徴構成は、前記第１筒状部と前記第２筒状部とが互いに抜け出るのを防止するように、前記第１筒状部と第２筒状部とに亘って内挿される内挿部材を備え、当該内挿部材が第１筒状部及び第２筒状部の少なくとも何れか一方に対して回転自在である点にある。
【０００８】
本構成により、内挿部材を、互いに挿通された第１筒状部と第２筒状部の両者に、内挿することとなり、第１筒状部と第２筒状部とのうち内側の部材は、この内挿部材で狭持されることとなる。
【０００９】
本発明の第３特徴構成は、前記ヘッドバンドに対する前記ヘッドホンユニットの相対回転位置に応じて電源からの電力を供給及び遮断する電源スイッチと、前記電源からの電力が遮断状態と供給状態とで切り替わる前記相対回転位置の付近で前記相対回転の抵抗を高める抵抗付与手段が設けられている点にある。
【００１０】
本構成によれば、ヘッドホン装置を使用する際に、左右のヘッドホンユニットが互いに対向する角度まで回転させたときに電源が供給状態に切り替わるとともに、ちょうどこのときヘッドホンユニットを回動させる力が増すこととなる。このため、ヘッドホン装置の使用者は、外力の増加により、遮断状態と供給状態とが切り替わったことを確実に知ることができる。この結果、電力の遮断状態と供給状態とを確実に切り替えることができる。
【００１１】
本発明の第４特徴構成は、前記ヘッドホン装置が赤外線通信により音声を受信するワイヤレスヘッドホン装置であり、赤外線を受信する赤外線受信素子が、夫々の前記第１筒状部の左右方向外方に設けてある点にある。
【００１２】
本構成により、ヘッドホン装置を頭部に装着した際、頭部の両側方に赤外線受信素子が存在することとなる。ヘッドホン装置に音声信号を送信する音声再生装置は通常、使用者が携帯しているか、使用者と対向する位置に設置してある。よって、ヘッドホン装置の使用者の姿勢に関わらず、何れかの赤外線受信素子を、音声再生装置の側にむけることができる。このように、赤外線の受信可能方向が拡大して、ヘッドホン装置の利便性が向上する。
【発明を実施するための最良の形態】
【００１３】
以下、本発明の実施の形態について図面を用いて説明する。このヘッドホン装置は、ステレオ等の音響機器（不図示）からの音響信号を赤外線通信により受信し再生するワイヤレスタイプのヘッドホン装置である。
【００１４】
図１及び図２に示すように、このヘッドホン装置１は、スピーカ３Cを備えた１対のヘッドホンユニット３とヘッドホンユニット３同士を連結するヘッドバンド２とヘッドバンド２の頭との対向面側に併設されたヘッドベルト４とを備える。このヘッドホン装置１において、ヘッドホンユニット３はスピーカ３Cの音響面（つまり、ヘッドホン装置１の耳当部）同士が内側を向いて対向する第１姿勢（図１（ａ））と、この第１姿勢から略９０°回動してスピーカ３C同士が略同一平面状に位置する第２姿勢との間を回動可能である（（図１（ｂ））。また、ヘッドホン装置１に対する電源の供給を制御するスイッチ部が設けてある。
【００１５】
図２及び図４に示すように、ヘッドバンド２は、例えば樹脂製であり、頭部の形状に合わせて略逆Ｕ字形状に彎曲して形成してあり、その両端にヘッドホンユニット３を連結する連結部が設けてある。この連結部は、第１筒状部２Aと第１筒状部２Aの内部に設けられた内筒状部２４とを有する。第１筒状部２A及び内筒状部２４は、ヘッドバンド２部に対して、一体的に形成してある。
【００１６】
図１及び図２に示すように、ヘッドホンユニット３は、第１ハウジング３Aと、第２ハウジング３Bと、第１ハウジング３Aに設けられたスピーカ３Cとを備える。スピーカ３Cの音響出力面側には、柔軟部材またはクッション材等で形成した耳当部が設けてある。
また、図２及び図３に示すように、このヘッドホンユニット３は、第１ハウジング３Aと第２ハウジング３Bとで形成される内部空間に、スピーカ３Cを駆動する各種回路、ヘッドホン装置１の動作状況を示すＬＥＤ等の表示素子、スイッチ素子３３等が設けてある。また、一方のヘッドホンユニット３の第１ハウジング３Aには、電池を収容する電池ホルダが設けられ、当該電池ホルダに電池が収納され、ヘッドホン装置１内部の各電子部品へ電源が供給される。
【００１７】
図４に示すように、第１ハウジング３Aには、ヘッドバンド２との連結部が一体成形により円筒形状に形成されている。この連結部が、本願の第２筒状部３１である。この第２筒状部３１が、ヘッドバンド２の第１筒状部２Aと内筒状部２４の間に挿入されて、ヘッドバンド２とヘッドホンユニット３とが連結される。
【００１８】
また、図２に示すように、第１筒状部２Aの左右方向外側の側方の一部が切り欠いてあり、赤外線受信素子７が設けてある。夫々の筒状部の側面に前後方向に沿って、２個ずつの赤外線受信素子７が設けてある。この赤外線受信素子７は、赤外線を透過可能なカバー２８が設けてある。
赤外線受信素子７をこのように配置することにより、ヘッドホン装置１を頭部に装着した際、頭部の両側方に赤外線受信素子７が存在することとなる。ヘッドホン装置１に音声信号を送信する音声再生装置は通常、使用者が携帯しているか、使用者と対向する位置に設置してある。よって、ヘッドホン装置１の使用者の姿勢に関わらず、何れかの赤外線受信素子７を、音声再生装置の側に向けることができる。このように、赤外線の受信可能方向が拡大して、ヘッドホン装置１の利便性が向上する。
【００１９】
次に、ヘッドバンド２とヘッドホンユニット３との連結について説明する。図３及び４に示すように、ヘッドホンユニット３の第２筒状部３１が、ヘッドバンド２の第１筒状部２Aと内筒状部２４との間の内部空間２３に挿入されて、ヘッドバンド２とヘッドホンユニット３とが連結される。さらに、内挿部材５が第１筒状部２Aの内側と第２筒状部３１の内側とに亘って挿入されて、第１筒状部２Aと第２筒状部３１との互いの抜け出しが防止される。
具体的には、この内挿部材５は、例えば略円形状の外形を有する抜け防止部に板状の固定部５１が立設してある。この内挿部材５の固定部５１が、ヘッドホンユニット３の側からヘッドバンド２の側へ、内筒状部２４を挿通してヘッドバンド２に固定される。
本実施形態では、図２及び図５に示すように、ヘッドバンド２の左右方向内側に凹部２５が形成してあるとともに、当該凹部２５に凸部２５ａが設けてある。この凸部２５ａに固定部５１の孔部５１ａが係止される。さらに前記凹部２５と略同一の形状を有する狭持部材２７が、例えば凸部２５ａ内に設けた孔部に例えば螺子により固定される。これにより、固定部５１が、ヘッドバンド２の凹部２５と狭持部材２７とにより狭持されて、ヘッドバンド２に対して固定される。結果、平面状の固定部５１がヘッドバンド２の凹部と狭持部材２７とにより狭持されて、固定されることになるので、固定部５１の強度を高めるとともに、確実に固定することができる。
【００２０】
図４に示すように、抜け止め部５２は、ヘッドホンユニット３の第２筒状部３１の内径よりも大きな外径を有する。また、内挿部材５はヘッドホンユニット３に対しては固定されておらず、内挿部材５とヘッドホンユニット３とは相対回転可能である。従って、ヘッドホンユニット３がヘッドバンド２に対して回動可能に連結される。
【００２１】
また図４及び図５に示すように、ヘッドバンド２の側連結部の第１筒状部２Aと内筒状部２４との間にはコイルスプリング６が設けてある。このコイルスプリング６の一端が第１筒状部２Aに係止され、他端が第２筒状部に係止される。このコイルスプリング６により、外力を加えない状態では、ヘッドホンユニット３が図１（ａ）に示す第２姿勢に保持される。
つまり、図６に示すように、固定部５１のうち第２筒状部３１の内部に位置する部分に固定部５１よりも幅広の当接部５１ｂが形成してある。一方、第２筒状部３１の内周面のうち、ヘッドホンユニット３が第１姿勢と第２姿勢の間を回動する際に当接部５１ｂが通過する部分については、内部空間２３の直径が当接部５１ｂの幅と同一か前記幅よりもやや大きく設定してあり、それ以外の部分については内周の直径を当接部５１ｂの幅よりも小さくして、第２筒状部３１の内側に突出する突出部３１ａを形成してある。
【００２２】
従って、ヘッドホンユニット３に外力を加えない状態では、コイルスプリング６の付勢力により、ヘッドホンユニット３が第２姿勢の側に付勢され、当接部５１ｂと突出部３１ａの第２姿勢側端部とが当接して、ヘッドホンユニット３が第２姿勢に保持される。一方、ヘッドホンユニット３を、コイルスプリング６の付勢力に抗して第１姿勢側へ回動させると、第１姿勢の位置において、固定部５１の一部と突出部３１ａの第１姿勢側端部とが当接して、ヘッドホンユニット３のそれ以上の回動が防止される。上述のように、ヘッドホンユニット３は、第１姿勢と第２姿勢との間の略９０°の範囲内を回動可能に構成されている。
【００２３】
また、図１及び図２に示すように、ヘッドバンド２の頭部と対向する側の面にはヘッドベルト４が設けてある。このヘッドベルト４は、ヘッドホン装置１を頭部に装着する際に頭部にフィットさせてずれを防止するためのものである。ヘッドバンド２と同様に頭部の形状に合わせて略逆Ｕ字形状に彎曲して形成してある。このヘッドベルト４の端部は、内筒状部２４と内挿部材５に設けた孔部５２ｃ（図４を参照）とを通してヘッドホンユニット３の側へ挿通される。ヘッドベルト４の両端部に形成された孔部には、引っ張りバネ４２が係止され、引っ張りバネ４２の他端が第１ハウジング３A内に係止され、所定の範囲内でスライド可能な状態で取り付けられる。
【００２４】
次に電源スイッチ部について説明する。この電源スイッチ部は、一方のヘッドホンユニット３に設けられ、ヘッドホンユニット３の姿勢に応じて電源からの電力の供給を制御する。つまり、スピーカ３Cの音響出力面が互いに対向するようにヘッドホンユニット３を回動させたとき（第１姿勢）にオン状態となり、電源からの電力を供給する。また、この状態から略９０°回動させ、スピーカ３Cの音響出力面が略同一平面となるようにヘッドホンユニット３を回動させたとき（第２姿勢）にオフ状態となり、電源からの電力の供給を遮断する。
【００２５】
図４及び図５に示すように、電源スイッチ部は、抜け止め部５２のうち固定部５１が立設された側と反対側の面に形成されたカム面５２ａと、ヘッドホンユニット３の内部に設けられたスイッチ素子３３と、カム面５２ａとスイッチ素子３３との間に設けられた操作棹３４とを備えて構成される。
操作棹３４は、スイッチ素子３３に対して引退・突出が可能であるとともに、バネ部材によって、スイッチ素子３３から突出する側に常時付勢されている。
【００２６】
カム面５２ａは、ヘッドホンユニット３が第１姿勢の側に回動するとスイッチ素子３３との距離が小さくなり、ヘッドホンユニット３が第２姿の側に回動するとスイッチ素子３３との距離が大きくなるように形成してある。ヘッドホンユニット３が第１姿勢に回動すると、カム面５２ａが操作棹３４をスイッチ素子３３の側へ引退させ、スイッチがオン状態になる。一方、ヘッドホンユニット３が第２姿勢に回動すると付勢力により操作棹３４がスイッチ素子３３の側から突出して、スイッチがオフ状態になる。
【００２７】
図４及び図５に示すように、抜け止め部５２のカム面５２ａを設けた側の面に対向して、板バネ部材３５が設けてある。この板バネ部材３５の一部を屈曲して、第１凸部３５ａが、カム面５２ａの側に突出して形成してある。また、抜け止め部５２のカム面５２ａを設けた側の面には、前記第１凸部３５ａの側に突出する第２凸部５２ｂが設けてある。図７に示すように、この第１凸部３５ａと第２凸部５２ｂとは、電源スイッチ部がオン状態となる相対回転位置とオフ状態となる相対回転位置との境界の付近にて互いに当接するように設定してある。本実施形態では、電源スイッチ部がオフ状態からオン状態に切り替わる直前の相対回転位置にて、第１凸部３５ａと第２凸部５２ｂとが当接する。
これにより、ヘッドホンユニット３を相対回転させると前記境界の位置で第１凸部３５ａと第２凸部５２ｂとが当接し、板バネ部材３５で形成された第１凸部３５ａが弾性変形し、この第１凸部３５ａを第２凸部５２ｂが乗り越えてから電源スイッチ部のオン状態とオフ状態とが切り替わることとなる。このため、電源スイッチ部のオン状態とオフ状態とが切り替わる相対回転位置の付近で、相対回転の抵抗が増大する。ここで、第１凸部３５ａと第２凸部５２ｂとは、抵抗付与手段を構成する。
【００２８】
次に、本実施の形態のヘッドホン装置１の使用時の動作について説明する。
ヘッドホン装置１の非使用状態では、外力が加えられない限り、コイルバネの付勢力により、ヘッドホンユニット３が第２姿勢に維持される（図１（ａ））。このとき、ヘッドホンユニット３は略同一平面に沿った状態になるので、ヘッドホン装置１の嵩高が抑えられた形状となり、収納スペースを節約することができる。この状態では、上述のとおり、電源スイッチ部は、オフ状態となって、電池からの電力の供給が遮断されている。
【００２９】
ヘッドホン装置１を使用して、ステレオ等の音響機器からの音楽等を聴く場合には、第２姿勢にあるヘッドホンユニット３を回動させて、ヘッドホンユニット３を第１姿勢（つまり、スピーカ３Cの耳当部同士を内側にして対向させた状態）にする。上述のとおり第１姿勢において、電源スイッチ部はオン状態となり、電池からの電力が供給される。この状態で、ヘッドホン装置１を頭に装着し、夫々の耳当部を耳に当てる。ヘッドホンユニット３は、コイルスプリング６の付勢力で第２姿勢側へ回動しようとするが、耳当部が耳に当接するため、ヘッドホンユニット３は第１姿勢で維持される（図１（ｂ））。
【００３０】
ヘッドホン装置１の使用を終えて、ヘッドホン装置１を頭部から取り外すと、コイルスプリング６の付勢力により、ヘッドホンユニット３が第１姿勢から第２姿勢に回動する（図１（ａ））。この状態で、上述のとおり電源スイッチ部がオフ状態となって、電池からの電力の供給が遮断される。
【００３１】
［別実施形態１］
上述の実施形態において、ヘッドバンド２の側の第１筒状部２Aと内筒状部２４との間に、ヘッドホンユニット３に設けた第２筒状部３１を挿入する例について説明した。しかし、上述の構成に限られるものではなく、例えば、内筒状部２４を設けていない第１筒状部２Aに第２筒状部３１を挿入したり、第２筒状部３１に第１筒状部２Aを挿入するなど、第１筒状部２Aと第２筒状部３１とのうち何れか一方が他方に挿入してあれば何れの構成であってもよい。
【００３２】
［別実施形態２］
上述の実施形態では、コイルスプリング６により、ヘッドホンユニット３を第２姿勢側へ付勢する例について説明したが、コイルスプリング６は必ずしも設ける必要はない。例えば、コイルスプリング６は設けず、ヘッドホンユニット３を手動で第２姿勢へ回動させるように構成しても良い
【００３３】
［別実施形態３］
上述の実施形態では、赤外線通信を利用したワイヤレスヘッドホン装置１について説明したが、超音波や無線電波等の通信手段を用いたワイヤレスヘッドホン装置１であっても良い。また、ワイヤレスタイプのヘッドホン装置１に限られるものではなく、コードにより音響機器と接続されるものであってもよい。
【産業上の利用可能性】
【００３４】
本発明は、ステレオ等の音響機器からの音響信号を再生するヘッドホン装置に利用することができる。
【図面の簡単な説明】
【００３５】
【図１】本発明に係るヘッドホン装置を示す斜視図
【図２】本発明に係るヘッドホン装置の分解斜視図
【図３】本発明に係るヘッドホン装置のヘッドバンド２装置の一部を示す斜視図
【図４】本発明に係るヘッドホン装置の要部を示す分解斜視図
【図５】本発明に係るヘッドホン装置の要部を示す断面図
【図６】図５のＶＩ−ＶＩ断面を示す図
【図７】図５のＶＩＩ−ＶＩＩ断面を示す図
【符号の説明】
【００３６】
１    ヘッドホン装置
２    ヘッドバンド
２Ａ  第１筒状部
３    ヘッドホンユニット
３Ｃ  スピーカ
３１  第２筒状部
５    内挿部材
７    赤外線受信素子
【図１】
2008205585.tif 000003
【図２】
2008205585.tif 000004
【図３】
2008205585.tif 000005
【図４】
2008205585.tif 000006
【図５】
2008205585.tif 000007
【図６】
2008205585.tif 000008
【図７】
2008205585.tif 000009